【手続補正書】
【提出日】平成15年6月16日(2003.6.16)
【手続補正１】
【補正対象書類名】明細書
【補正対象項目名】特許請求の範囲
【補正方法】変更
【補正の内容】
【特許請求の範囲】
【請求項１】
光学的作用をする第１面，第２面そして第３面の３つの面と，対向する２つの側面とを有し、該３つの面のうち少なくとも１つは曲面、少なくとも１つは反射面より成り、該２つの側面には位置決め部が設けられていることを特徴とする光学素子。
【請求項２】
前記曲面は、１つの対称面に対してのみ面対称な形状であることを特徴とする請求項１の光学素子。
【請求項３】
前記光学素子は前記第１面から入射した光が前記第２面で全反射し、該第２面で全反射した光が前記第３面で反射し、該第３面で反射した光が該第２面より通過するような形状より成っていることを特徴とする請求項１又は２の光学素子。
【請求項４】
光学的作用をする第１面，第２面そして第３面の３つの面と，対向する２つの側面とを有し、該３つの面のうち少なくとも１つは曲面、少なくとも１つは反射面より成り、該２つの側面には位置決め部が設けられている光学素子の該第１面近傍に表示手段を設け、該表示手段で表示された画像情報からの光が該光学素子の第１面より入射し、該第２面で全反射して該第３面で反射した後に該第２面より通過して観察者側に導光するようにしたことを特徴とする観察系。
【請求項５】
前記曲面は、１つの対称面に対してのみ面対称な形状であることを特徴とする請求項４の観察系。
【請求項６】
光入射用の第１面、該第１面からの光を全反射させる第２面、該第２面で全反射した光の一部を該第２面側に反射させる第３面、該第３面からの光を該第２面より射出させるようにした３つの面と、対向する２つの側面Ｔ１，Ｔ２とを有し、該３つの面のうち少なくとも１つは曲面より成り、該２つの側面Ｔ１，Ｔ２には第１位置決め部が設けられている第１光学素子、光入射用の第４面、該第４面からの光を通過させるとともに該第３面と略同一形状の第５面の２つの面と、対向する２つの側面Ｙ１，Ｙ２とを有し、該２つの側面Ｙ１，Ｙ２には第２位置決め部が設けられている第２光学素子の２つの光学素子を有し、該第１光学素子の第３面と該第２光学素子の第５面は対向配置されており、該第１光学素子と該第２光学素子は該第１位置決め部と該第２位置決め部によって位置決めされていることを特徴とする組み合わせ光学素子。
【請求項７】
前記曲面は、１つの対称面に対してのみ面対称な形状であることを特徴とする請求項６の組み合わせ光学素子。
【請求項８】
表示手段に表示された画像情報を第１光学素子と第２光学素子とを有する組み合わせ光学素子を介して観察する観察系において、該第１光学素子は該表示手段に表
示された画像情報からの光を入射させる第１面、該第１面からの光を全反射させる第２面、該第２面で全反射した光の一部を該第２面側に反射させる第３面、該第３面からの光を該第２面より射出させて観察者側に導光するようにした３つの面と、対向する２つの側面Ｔ１，Ｔ２とを有し、該３つの面のうち少なくとも１つは曲面より成り、該２つの側面Ｔ１，Ｔ２には第１位置決め部が設けられており、該第２光学素子は外界からの光が入射する第４面、該第４面からの光を通過させるとともに該第３面と略同一形状の第５面の２つの面と、対向する２つの側面Ｙ１，Ｙ２とを有し、該２つの側面Ｙ１，Ｙ２には第２位置決め部が設けられており、該第１光学素子の第３面と該第２光学素子の第５面は対向配置されており、該第１光学素子と該第２光学素子は該第１位置決め部と該第２位置決め部によって位置決めされており、外界からの光は該第２光学素子の第４面と第５面を通過した後に第１光学素子の第３面と第２面を順に通過して観察者側に導光するようにしたことを特徴とする観察系。
【請求項９】
前記曲面は、１つの対称面に対してのみ面対称な形状であることを特徴とする請求項８の観察系。
【請求項１０】
光学的作用をする第１面，第２面そして第３面の３つの面を有し、該３つの面の少なくとも１つは曲面、少なくとも１つは反射面より成り、該３つの面のうち光学性能への影響が少ない箇所に位置決め部が設けられていることを特徴とする光学素子。
【請求項１１】
前記曲面は、１つの対称面に対してのみ面対称な形状であることを特徴とする請求項１０の光学素子。
【請求項１２】
前記光学素子は前記第１面から入射した光が前記第２面で全反射し、該第２面で全反射した光が前記第３面で反射し、該第３面で反射した光が該第２面より通過するような形状より成っていることを特徴とする請求項１０又は１１の光学素子。
【請求項１３】
光学的作用をする第１面，第２面そして第３面の３つの面を有し、該３つの面のうち少なくとも１つは曲面より成り、該３つの面のうち光学性能への影響が少ない箇所に位置決め部が設けられている光学素子の該第１面近傍に表示手段を設け、該表示手段で表示された画像情報からの光が該光学素子の第１面より入射し、該第２面で全反射して該第３面で反射した後に該第２面より通過して観察者側に導光するようにしたことを特徴とする観察系。
【請求項１４】
前記曲面は、１つの対称面に対してのみ面対称な形状であることを特徴とする請求項１３の観察系。
【請求項１５】
光入射用の第１面、該第１面からの光を全反射させる第２面、該第２面で全反射した光の一部を該第２面側に反射させる第３面、該第３面からの光を該第２面より射出させるようにした３つの面を有し、該３つの面のうち少なくとも１つは曲面より成り、該第３面上の光学性能への影響が少ない箇所に第１位置決め部が設けられている第１光学素子、光入射用の第４面、該第４面からの光を通過させるとともに該第３面と略同一形状の第５面の２つの面を有し、該第５面上の光学性能への影響が少ない箇所に第２位置決め部が設けられている第２光学素子の２つの光学素子を有し、該第１光学素子の第３面と該第２光学素子の第５面は対向配置されており、該第１光学素子と該第２光学素子は該第１位置決め部と該第２位置決め部によって位置決めされていることを特徴とする組み合わせ光学素子。
【請求項１６】
前記曲面は、１つの対称面に対してのみ面対称な形状であることを特徴とする請求項１５の組み合わせ光学素子。
【請求項１７】
表示手段に表示された画像情報を第１光学素子と第２光学素子とを有する組み合わせ光学素子を介して観察する観察系において、該第１光学素子は該表示手段に表示された画像情報からの光を入射させる第１面、該第１面からの光を全反射させる第２面、該第２面で全反射した光の一部を該第２面側に反射させる第３面、該第３面からの光を該第２面より射出させて観察者側に導光するようにした３つの面を有し、該３つの面のうち少なくとも１つは曲面より成り、該第３面上の光学性能への影響が少ない箇所に第１位置決め部が設けられており、該第２光学素子は外界からの光が入射する第４面、該第４面からの光を通過させるとともに該第３面と略同一形状の第５面の２つの面を有し、該第５面上の光学性能への影響が少ない箇所に第２位置決め部が設けられており、該第１光学素子の第３面と該第２光学素子の第５面は対向配置されており、該第１光学素子と該第２光学素子は該第１位置決め部と該第２位置決め部によって位置決めされており、外界からの光は該第２光学素子の第４面と第５面を通過した後に第１光学素子の第３面と第２面を順に通過して観察者側に導光するようにしたことを特徴とする観察系。
【請求項１８】
前記曲面は、１つの対称面に対してのみ面対称な形状であることを特徴とする請求項１７の観察系。
【請求項１９】
平面又は曲面より成る光入射用の第１面、該第１面からの光束を全反射させる平面又は曲面より成る第２面、該第２面からの光束の少なくとも一部を該第２面側に反射させる平面又は曲面より成る第３面、該第１，第２，第３面以外の光学的作用を行わない互いに対向した２つの側面、そして該側面に光学的位置決め用の突出した鍔とを有していることを特徴とするプリズム素子。
【請求項２０】
平面又は曲面より成る光入射用の第１面、該第１面からの光束を全反射させる平面又は曲面より成る第２面、該第２面からの光束の少なくとも一部を該第２面側に反射させる平面又は曲面より成る第３面、該第１，第２，第３面以外の光学的作用を行わない互いに対向した２つの側面Ｔ１，Ｔ２、そして該側面Ｔ１，Ｔ２に光学的位置決め用の突出した第１鍔とを有している第１プリズムと該第１プリズムの第３面と略同形状の光透過面、平面又は曲面より成る光入射面、光学的作用を行わない互いに対向した２つの側面Ｙ１，Ｙ２、そして該側面Ｙ１，Ｙ２に光学的位置決め用の突出した第２鍔とを有した第２プリズムの２つのプリズムを該第１プリズムの第３面と第２プリズムの光透過面とを近接対向配置し、該第１鍔と該第２鍔とを用いて位置決めし、組み合わせたことを特徴とする組み合わせプリズム。
【請求項２１】
平面又は曲面より成る光入射用の第１面、該第１面からの光束を全反射させる平面又は曲面より成る第２面、該第２面からの光束の少なくとも一部を該第２面側に反射させる平面又は曲面より成る第３面、該第１，第２，第３面以外の光学的作用を行わない互いに対向した２つの側面、そして該側面に光学的位置決め用の突出した鍔とを有しているプリズム素子の該第１面近傍に表示手段を設け、該表示手段で表示した画像情報に基づく光束を該第１面より入射させ、該第２面で全反射させ、該第３面で反射させて該第２面より射出させて観察者側に導光し、該画像情報を観察することを特徴とする観察系。
【請求項２２】
前記第３面を半透過面より構成し、該第３面を介して外景と前記画像情報とを空間的に重畳して同一視野で観察していることを特徴とする請求項２１の観察系。
【請求項２３】
平面又は曲面より成る光入射用の第１面、該第１面からの光束を全反射させる平面又は曲面より成る第２面、該第２面からの光束の少なくとも一部を該第２面側に反射させる平面又は曲面より成る第３面、該第１，第２，第３面以外の光学的作用を行わない互いに対向した２つの側面Ｔ１，Ｔ２、そして該側面Ｔ１，Ｔ２に光学的位置決め用の突出した第１鍔とを有している第１プリズムと該第１プリズムの第３面と略同形状の光透過面、平面又は曲面より成る光入射面、光学的作用を行わない互いに対向した２つの側面Ｙ１，Ｙ２、そして該側面Ｙ１，Ｙ２に光学的位置決め用の突出した第２鍔とを有した第２プリズムの２つのプリズムを該第１プリズムの第３面と第２プリズムの光透過面とを近接対向配置し、該第１鍔と該第２鍔とを用いて位置決めし、組み合わせた組み合わせプリズムの該第１面近傍に表示手段を設け、該表示手段で表示した画像情報に基づく光束を該第１面より入射させ、該第２面で全反射させ、該第３面で反射させて該第２面より射出させて観察者側に導光し、該画像情報を観察することを特徴とする観察系。
【請求項２４】
前記第３面を半透過面より構成し、前記光入射面と光透過面、そして該第３面を介して外景と前記画像情報とを空間的に重畳して同一視野で観察していることを特徴とする請求項２３の観察系。